(57)【要約】      （修正有）【課題】衛生マスクとしての機能を維持しつつ、表情を表現できるマスクを提供する。【解決手段】マスク１００は、顔Ｆの形状の模擬部材であるマスク本体１０と、模擬部材の内面側に着脱自在に取り付けられるフィルタ部材３０とを備え、模擬部材は、顔の立体的形状を有し、顔の立体的形状は、鼻の形状４３、口の形状４５、頬の形状を含み、顔の立体的形状は、笑顔に見える顔の形状を含み、フィルタ部材は、模擬部材より柔らかい素材で形成され、顔への密着度合いが高くなるように構成されている、マスク。【選択図】図２
2020158893.tif 000002
【特許請求の範囲】
【請求項１】
顔形状の模擬部材と、
前記模擬部材の内側に着脱自在に取り付けられるフィルタ部材と、を備える、マスク。
【請求項２】
前記模擬部材は、顔の立体的形状を有する
請求項１に記載のマスク。
【請求項３】
前記顔の立体的形状は、鼻の形状を含む
請求項２に記載のマスク。
【請求項４】
前記顔の立体的形状は、口の形状を含む
請求項２又は３に記載のマスク。
【請求項５】
前記顔の立体的形状は、頬の形状を含む
請求項２〜請求項４のいずれか一項に記載のマスク。
【請求項６】
前記顔の立体的形状は、笑顔に見える顔の形状を含む
請求項２〜請求項５のいずれか一項に記載のマスク。
【請求項７】
前記フィルタ部材は、前記模擬部材より柔らかい素材で形成されている
請求項１〜請求項６のいずれか一項に記載のマスク。
【請求項８】
前記フィルタ部材は、装着時に前記模擬部材より顔への密着度合いが高くなるように構成されている
請求項７に記載のマスク。
【請求項９】
前記フィルタ部材は、装着時に鼻及び口を含む範囲の少なくとも周縁が顔に接するように構成されている
請求項７又は８に記載のマスク。
【請求項１０】
前記フィルタ部材を前記模擬部材の内側に着脱可能に取り付ける着脱部材をさらに備え、
前記着脱部材は、左右対称に配置される一対の部材を含む
請求項１〜請求項９のいずれか一項に記載のマスク。
【請求項１１】
前記模擬部材の左右に連結された一対の耳掛け部をさらに備える
請求項１〜請求項１０のいずれか一項に記載のマスク。
【請求項１２】
前記模擬部材の上部に隣接する一対のレンズをさらに備える
請求項１１に記載のマスク。
【請求項１３】
前記模擬部材を眼鏡に取り付けるための取り付け部材をさらに備える
請求項１〜請求項１０のいずれか一項に記載のマスク。
【発明の詳細な説明】
【技術分野】
【０００１】
本開示はマスクに関する。
【背景技術】
【０００２】
特許文献１には、衛生用マスクに色や飾りをつけることでファッション性を持たせることが提案されている。
【先行技術文献】
【特許文献】
【０００３】
【特許文献１】特開２００６−２６３４０８号公報
【発明の概要】
【０００４】
しかしながら、衛生用のマスクは顔の鼻から下半分を覆うため、顔の表情が隠れてしまう。そのため、場にそぐわなかったり、相手に冷淡な印象や不愉快な印象を与えたりする場合もある。
【０００５】
顔の表情を重視すると、マスクで覆う面積を少なくすることが考えられる。しかしながら、マスクで覆う面積を少なくすると衛生マスクとしての機能が保てなくなる。
【０００６】
そこで、衛生マスクとしての機能を維持しつつ、表情を表現できるマスクが望まれる。
【０００７】
ある実施の形態に従うと、マスクは、顔形状の模擬部材と、模擬部材の内側に着脱自在に取り付けられるフィルタ部材と、を備える。
【図面の簡単な説明】
【０００８】
【図１】図１は、第１の実施の形態に係るマスクの構成の概略を示す斜視図である。
【図２】図２は、第１の実施の形態に係るマスクを装着した使用者を横から見た概略図である。
【図３】図３は、図２のＡ−Ａ概略断面図である。
【図４】図４は、第２の実施の形態に係るマスクの構成の概略を示す斜視図である。
【図５】図５は、第２の実施の形態に係るマスクを装着した使用者を横から見た概略図である。
【図６】図６は、第３の実施の形態に係るマスクの構成の概略を示す斜視図である。
【図７】図７は、第３の実施の形態に係るマスクを装着した使用者を横から見た概略図である。
【図８】図８は、第４の実施の形態に係るマスクの構成の概略を示す斜視図である。
【発明を実施するための形態】
【０００９】
［１．マスクの概要］
（１）本実施の形態に含まれるマスクは、顔形状の模擬部材と、模擬部材の内側に着脱自在に取り付けられるフィルタ部材と、を備える。顔形状の模擬部材は、外面側に顔の形状を模擬した部材である。顔の形状を模擬することは、立体的形状で顔形状を模擬することであってもよいし、面に描かれた２次元的的な図により顔形状を模擬することであってもよい。これにより、マスクが表情を隠すことによって生じる違和感が抑えられたり、任意の表情を作ったりすることができる。また、模擬部材の内側にフィルタ部材が取り付けられることによって、衛生マスクとしての機能を維持することができる。また、フィルタ部材が模擬部材の内側に着脱自在であることによって、フィルタ部材を容易に交換することができ、衛生を保つことができる。
【００１０】
（２）好ましくは、模擬部材は、顔の立体的形状を有する。これにより、マスクを装着したときの模擬部材の形状が使用者の顔の形状と同じような立体的形形状となる。
【００１１】
（３）好ましくは、顔の立体的形状は、鼻の形状を含む。これにより、模擬部材が鼻の立体的形状を模擬することができる。
【００１２】
（４）好ましくは、顔の立体的形状は、口の形状を含む。これにより、模擬部材が口の立体的形状を模擬することができる。
【００１３】
（５）好ましくは、顔の立体的形状は、頬の形状を含む。これにより、模擬部材が頬の立体的形状を模擬することができる。
【００１４】
（６）好ましくは、顔の立体的形状は、笑顔に見える顔の形状を含む。これにより、マスクを装着した使用者があたかも笑顔でいるような外観となる。そのため、マスクを装着した状態でも場に馴染んだり、周囲に温和で明るい印象を与えたりすることができる。
【００１５】
（７）好ましくは、フィルタ部材は、模擬部材より柔らかい素材で形成されている。この素材は、例えば、ガーゼ等の織布、不織布、である。これにより、マスクを使用者が装着したときに顔に接する内面側が柔軟性を有し、付け心地を向上させることができる。
【００１６】
（８）好ましくは、フィルタ部材は、装着時に模擬部材より顔への密着度合いが高くなるように構成されている。これにより、マスクのフィルタ機能を確保することができる。
【００１７】
（９）好ましくは、フィルタ部材は、装着時に鼻及び口を含む範囲の少なくとも周縁が顔に接するように構成されている。これにより、呼気及び吸気がフィルタ部材を介してマスク外側と内側とで行き来することになる。その結果、マスクを装着したときの呼気及び吸気のフィルタ機能を高めることができる。つまり、衛生マスクとしての機能が維持される。
【００１８】
（１０）好ましくは、マスクは、フィルタ部材を模擬部材の内側に着脱可能に取り付ける着脱部材をさらに備え、着脱部材は、左右対称に配置される一対の部材を含む。これにより、フィルタ部材をマスク本体の内面に安定的に取り付けることができる。
【００１９】
（１１）好ましくは、マスクは、模擬部材の左右に連結された一対の耳掛け部をさらに備える。これにより、使用者は、眼鏡と同じようにマスクを装着することができ、装着が容易であるとともに、ファッション性が保たれる。
【００２０】
（１２）好ましくは、マスクは、模擬部材の上部に隣接する一対のレンズをさらに備える。これにより、マスクの使用者は、眼鏡としても使用できる。
【００２１】
（１３）好ましくは、マスクは、模擬部材を眼鏡に取り付けるための取り付け部材をさらに備える。これにより、眼鏡を装着した状態でもマスクを装着することができる。その際に、眼鏡に模擬部材を取り付けるため、耳掛けが重複せずに装着しやすい。
【００２２】
［２．マスクの例］
【００２３】
［第１の実施の形態］
【００２４】
＜マスクの説明＞
図１及び図２に示されるように、マスク１００は、使用者の顔Ｆを覆うためのマスク本体１０、及び、マスク本体１０の両側それぞれに連結された一対の耳掛け部２０、を含む。図１は、使用者がマスク１００を装着する様子を示しており、図１において左右方向をＸ方向、上下方向をＺ方向、紙面の前後をＹ方向と各方向を設定する。Ｘ方向はマスク１００を装着した使用者の左右（横）方向、Ｚ方向は使用者の上下（高さ）方向、Ｙ方向は使用者の前後方向と一致する。また、使用者がマスク１００を装着した際に、顔Ｆ側となる面を内面１２、その逆側を外面１１とする。
【００２５】
第１の実施の形態では、マスク本体１０は、Ｚ方向には、使用者の鼻根ＮＲやや下位置から下顎先端ＣＨＩと下唇ＬＬとの間（オトガイ唇溝ＭＳ）までの範囲を覆うサイズである。Ｘ方向には、左右の頬ＣＨＥの間の範囲を覆うサイズである。
【００２６】
マスク本体１０は、顔形状の模擬部材である。顔形状の模擬部材とは、人の顔の形状であって、マスク本体１０が覆う使用者の顔Ｆの部位の、特定の表情であるときの形状を模擬した部材である。形状に加えて、マスク本体１０の外面１１には、内面１２が覆う使用者の顔Ｆの部位に対応した画像が施されていてもよい。
【００２７】
すなわち、マスク本体１０は、使用者の鼻Ｎに相当する位置４１に鼻の立体的形状４３、頬ＣＨＥに相当する位置４２に頬の立体的形状４６、口（唇）Ｌに相当する位置４４に口（唇）の立体的形状４５を有している。また、外面１１の各位置４１，４２，４４それぞれには、鼻の画像、頬の画像、及び、唇の画像がプリントされていてもよい。画像は、色彩のみであってもよい。これにより、マスク１００を装着したときのマスク本体１０の形状が使用者の顔Ｆの形状と同じような形状となるため、マスク１００が表情を隠すことによって生じる違和感が抑えられたり、任意の表情を作ったりすることができる。
【００２８】
特定の表情は、例えば、笑顔である。笑顔であるときの使用者の顔Ｆの形状は、頬の筋肉（例えば、笑筋）が上方に引き上げられた形状、両口角が下唇より上方に引き上げられている形状、を含む。この場合、頬の立体的形状４６は前方、つまり、Ｙ方向の−向きに凸である。また、唇の立体的形状４５は口角が下唇ＬＬよりも上がった立体的形状である。これにより、マスク１００を装着したときのマスク本体１０の形状が笑顔であるときの使用者の顔Ｆの形状と同じような形状となるため、あたかも笑顔でいるような外観となる。そのため、マスク１００を装着した状態でも場に馴染んだり、周囲に温和で明るい印象を与えたりすることができる。
【００２９】
特定の表情は、笑顔に限定されず、その他、真剣な顔、怒っている顔、泣いている顔、など、様々であってよい。このように、マスク本体１０の外面１１側が特定の表情の顔の立体的形状を有することで、マスク１００を装着した使用者の表情があたかもその特定の表情であるような外観となる。そのため、マスク１００を装着した状態でもその場に適切な表情が表現できる。また、異なる顔の表情のマスク１００を、例えば、気分によって使い分けたり、シーンによって使い分けたりすることで、マスク１００を装着していても異なる表情を容易に表現できる。
【００３０】
マスク本体１０の素材は、形状保持性に優れた素材であって、例えば、合成樹脂、ウレタン樹脂、シリコン樹脂、金属、厚紙、などである。形状保持性に優れていることは、例えば、応力が作用して変形した状態において、当該応力から解放されると変形前の形状に復帰する程度であることを指す。これにより、マスク本体１０を収納する際などに応力が作用して変形した場合であっても、取り出して装着する際に当該応力から解放されると、変形前の使用者の顔Ｆの形状と同じ形状に復帰する。
【００３１】
耳掛け部２０は、メガネのいわゆるテンプルと呼ばれるツル部分と同様の形態である。耳掛け部２０は、マスク本体１０との連結部分２０Ａを一方端とし、他方端に耳当接部２２を備え、ＸＺ平面においてマスク本体１０からＹ方向の＋Ｙ向きに延出するようにマスク本体１０の両側に取り付けられている。これにより、使用者は、眼鏡と同じようにマスク１００を装着することができ、装着が容易であるとともに、ファッション性が保たれる。
【００３２】
耳当接部２２は、一例として、図示されたように、耳介ＡＵの上方から掛かる形状の、いわゆるモダン又は先セルである。他の例として、耳当接部２２は、ゴムなどの摩擦力を有する部位を有してもよい。これにより、耳当接部２２が耳介ＡＵに安定して当接するようになる。
【００３３】
なお、耳当接部２２の構造は図示された形状に限定されない。すなわち、耳介ＡＵの上方から掛かる形状に限定されず、耳介ＡＵの下方から後方に向けて延び、耳介ＡＵの後方から前方に向かう方向に掛かる形状でもよい。
【００３４】
一対の耳掛け部２０の間隔は、使用者の頭部の幅よりも小さい。ここでの使用者は、マスク１００の使用が想定される人を言う。使用者の頭部の幅は、マスク１００の使用が想定される人の頭部の幅の平均値、中央値、などである。マスク１００の使用が想定される人は、例えば、所定の年齢層の人、特定の性別の人、特定の地域の人、などである。これにより、マスク１００が使用者に装着されることで、両耳掛け部２０は使用者の顔Ｆを左右両側からＸ方向に挟持する。これにより、マスク１００が使用者の頭部に対してＸ方向に支持される。
【００３５】
マスク本体１０の内面１２側、つまり内側には、フィルタ部材３０が配置されている。フィルタ部材３０は、マスク本体１０を形成する素材よりも柔軟性の高い素材で形成されている。言い換えると、フィルタ部材３０は、マスク１００装着時にマスク本体１０より顔への密着度合いが高い素材で形成されている。フィルタ部材３０の素材は、例えば、ガーゼ等の織布、不織布、である。これにより、マスク１００を装着したときの呼気及び吸気のフィルタ機能を確保するとともに、マスク１００を使用者が装着したときに顔Ｆに接する内面側が柔軟性を有し、付け心地を向上させることができる。
【００３６】
フィルタ部材３０は、マスク本体１０の内面１２に着脱可能に取り付けられている。マスク本体１０の内面１２にフィルタ部材３０を着脱可能に取り付けるための構造の一例として、マスク１００は、着脱部材３１をさらに備える。着脱部材３１は、例えば、面ファスナー、粘着テープ、フック、クリップ、シート状のフィルタ部材３０を押し込んで係着する、柔軟な弾性部材に設けられた係着スリット、である。これにより、マスク本体１０の内面１２にフィルタ部材３０を着脱可能に取り付けることができる。フィルタ部材３０がマスク本体１０の内面１２に着脱可能なことにより、フィルタ部材３０を容易に交換することができ、衛生や美観を保つことができる。
【００３７】
着脱部材３１は、フィルタ部材３０とマスク本体１０とを、部分的に取り付ける。つまり、フィルタ部材３０は、全面ではなく、部分的な取付範囲だけで、マスク本体１０に取り付けられる。すなわち、フィルタ部材３０には、マスク本体１０に取り付けられていない範囲（以下、非取付範囲とも称する）が存在する。これにより、過剰なサイズの着脱部材３１を配置する必要がない。
【００３８】
図２及び図３に示されたように、着脱部材３１は、マスク本体１０の端に設けられた、Ｚ方向に延びる部材である。好ましくは、図３に示されたように、着脱部材３１は、左右対称に配置される一対の部材３１Ｌ，３１Ｒを含む。一例として、部材３１Ｌ，３１Ｒは、図２に示されたようにマスク本体１０の左右端それぞれに設けられる。他の例として、マスク本体１０の上端付近に上辺に平行して、左右対称にそれぞれ設けられてもよい。これにより、フィルタ部材３０をマスク本体１０の内面１２に安定的に取り付けることができる。
【００３９】
フィルタ部材３０には、接触部材３２が設けられている。接触部材３２は、フィルタ部材３０の顔Ｆへの接触を維持させるための構造の一例である。接触部材３２は、例えば、粘着テープ、ジェル、などの粘着性を有する部材である。この場合、フィルタ部材３０の顔Ｆ側の面には接触部材３２が配置され、その上に剥離紙が配置される。そして、マスク１００を装着する際に、使用者は剥離紙を接触部材３２から剥離してマスク本体１０を顔Ｆに押し付けるようにする。
【００４０】
フィルタ部材３０がマスク本体１０に取り付けられた状態では、フィルタ部材３０には非取付範囲がある。接触部材３２は、非取付範囲に配置される。非取付範囲においては、フィルタ部材３０とマスク本体１０との間に隙間が存在する。そのため、非取付範囲においては、フィルタ部材３０はマスク本体１０に対する位置が固定されていない。接触部材３２が非取付範囲に配置されることで、非取付範囲においてフィルタ部材３０の顔Ｆへの接触状態を維持させ、顔Ｆに密着させることができる。
【００４１】
マスク本体１０は顔の立体的形状を有するため、装着時、顔Ｆに対する隙間が多い。これに対して、フィルタ部材３０は接触部材３２によって顔Ｆに密着することで、通常の衛生マスクの機能を維持でできる。
【００４２】
マスク１００は、一対の耳掛け部２０によって使用者の頭部を左右両側からＸ方向に挟持することによって頭部に対して支持されるため、オトガイ唇溝ＭＳ付近ではマスク本体１０の顔Ｆへの密着度合が小さくなる。しかしながら、フィルタ部材３０に接触部材３２が設けられていることによって、マスク１００の装着時にフィルタ部材３０を顔Ｆに密着させることができる。
【００４３】
図２及び図３に示されたように、接触部材３２は、フィルタ部材３０の顔Ｆ側の面上であって、マスク１００の装着時に鼻及び口を覆う範囲の周縁に配置される。鼻及び口を覆う範囲の周縁とは、鼻及び口の両方を囲む、連続した帯状の領域を指す。これにより、マスク１００を装着したときに、使用者の鼻及び口の周縁にフィルタ部材３０が密着する。そのため、呼気及び吸気がフィルタ部材３０を介してマスク１００外側と内側とで行き来することになる。その結果、マスク１００を装着したときの呼気及び吸気のフィルタ機能を高めることができる。つまり、衛生マスクとしての機能が維持される。
【００４４】
着脱部材３１は、周状の接触部材３２の外周側（左右方向外周側又は上下方向外周側）に配置されている。これにより、接触部材３２は、左右一対の着脱部材３１の間で、フィルタ部材３０を鼻と口とを含む範囲の周縁に接触させることができる。
【００４５】
［第２の実施の形態］
【００４６】
図４及び図５に示されるように、第２の実施の形態に係るマスク１００において、マスク本体１０は、Ｚ方向には、使用者の鼻根ＮＲやや下位置から下顎先端ＣＨＩを経由して下顎先端ＣＨＩと喉との中間点ＣＨＩ−１付近までの範囲を覆うサイズである。この場合も同様に、マスク本体１０は、使用者の鼻Ｎに相当する位置４１に鼻の立体的形状４３、頬ＣＨＥに相当する位置４２に頬の立体的形状４６、口（唇）Ｌに相当する位置４４に口（唇）の立体的形状４５を有している。これにより、マスク１００を装着したときのマスク本体１０の形状が使用者の顔Ｆの形状と同じような形状となるため、マスク１００が表情を隠すことによって生じる違和感が抑えられる。
【００４７】
この場合、使用者は、マスク本体１０の下顎先端ＣＨＩに対応する位置を下顎先端ＣＨＩに合わせてから両耳掛け部２０を耳介ＡＵに掛けてマスク１００を装着する。これにより、マスク本体１０は、両耳掛け部２０と下顎先端ＣＨＩとで使用者に接する。そのため、マスク１００が使用者の頭部に固定されやすくなる。
【００４８】
第２の実施の形態に係るマスク１００では、マスク本体１０の内面１２側に配置されたフィルタ部材３０は、図５に示されたように、下顎先端ＣＨＩを覆うサイズである。フィルタ部材３０は、着脱部材３１によってマスク本体１０の内面１２に着脱可能に取り付けられている。
【００４９】
第２の実施の形態に係るマスク１００では、フィルタ部材３０を顔Ｆに接触させるための機構の他の例として、下顎先端ＣＨＩとマスク本体１０との接触を利用する。すなわち、図５に示されたように、第２の実施の形態に係るマスク１００では、フィルタ部材３０を間に挟んで下顎先端ＣＨＩとマスク本体１０とを接触させる。これにより、フィルタ部材３０の下方は下顎先端ＣＨＩとマスク本体１０との間に挟み込まれて固定される。
【００５０】
なお、下顎先端ＣＨＩとマスク本体１０との間に挟み込まれた部分以外の、マスク１００の装着時に鼻及び口を覆う範囲の周縁には接触部材３２が配置される。これにより、マスク１００を装着したときに、使用者の鼻及び口の周囲にフィルタ部材３０が密着する。そのため、呼気及び吸気がフィルタ部材３０を介してマスク１００外側と内側とで行き来することになる。その結果、マスク１００を装着したときの呼気及び吸気のフィルタ機能を高めることができる。
【００５１】
［第３の実施の形態］
【００５２】
図６及び図７に示されたように、第３の実施の形態に係るマスク１００は、マスク本体１０の上部に隣接する左右一対のレンズＧをさらに備える。左右一対のレンズＧは、マスク１００の装着時に、それぞれ使用者の左右の目に対応した位置に設けられる。これにより、マスク１００の使用者は、マスク１００をマスクとして使用することができるとともに、眼鏡としても使用できる。
【００５３】
なお、左右一対のレンズＧは、使用者に応じた視力矯正用のレンズであってもよいし、視力矯正機能を有しないレンズであってもよいし、色付きのレンズであってもよい。
【００５４】
［第４の実施の形態］
【００５５】
図８に示されたように、第４の実施の形態に係るマスク１００は、耳掛け部２０を有さない。第４の実施の形態に係るマスク１００は、取り付け部材２５を有する。取り付け部材２５は、マスク本体１０を眼鏡２００に取り付けるための部材である。
【００５６】
取り付け部材２５は、一例として、マスク本体１０の上部の左右それぞれに、眼鏡２００の耳掛け部２０Ｂに接続することでマスク本体１０を眼鏡２００に取り付ける部材であって、例えば、フック形状を有して、マスク本体１０を耳掛け部２０Ｂに係止する。これにより、眼鏡２００を装着した状態でもマスク１００を装着することができる。その際に、眼鏡２００にマスク本体１０を取り付けるため、耳掛けが重複せずに装着しやすい。
【００５７】
本発明は、上記の実施の形態に限定されるものではなく、様々な変形が可能である。
【符号の説明】
【００５８】
１０        ：マスク本体
１１        ：外面
１２        ：内面
２０        ：耳掛け部
２０Ａ      ：連結部分
２０Ｂ      ：耳掛け部
２２        ：耳当接部
２５        ：取り付け部材
３０        ：フィルタ部材
３１        ：着脱部材
３１Ｌ      ：部材
３１Ｒ      ：部材
３２        ：接触部材
４１        ：位置
４２        ：位置
４３        ：鼻の立体的形状
４４        ：位置
４５        ：口の立体的形状
４６        ：頬の立体的形状
１００      ：マスク
２００      ：眼鏡
ＡＵ        ：耳介
ＣＨＥ      ：頬
ＣＨＩ      ：下顎先端
ＣＨＩ−１  ：中間点
Ｆ          ：顔
Ｇ          ：レンズ
Ｌ          ：口（唇）
ＬＬ        ：下唇
ＭＳ        ：オトガイ唇溝
Ｎ          ：鼻
ＮＲ        ：鼻根
【図１】
2020158893.tif 000003
【図２】
2020158893.tif 000004
【図３】
2020158893.tif 000005
【図４】
2020158893.tif 000006
【図５】
2020158893.tif 000007
【図６】
2020158893.tif 000008
【図７】
2020158893.tif 000009
【図８】
2020158893.tif 000010